(57)【要約】　　　（修正有）【課題】個体間のバラツキが少ないＮＯｘ測定装置及びセンサの出力補正方法。【解決手段】被検ガスが導入される第１測定室５と、連通する第２測定室６と、被検ガス中の酸素濃度に応じた電流Ｉｐ１が流れる第１酸素ポンプセル１と、被検ガス中のＮＯｘ濃度に応じた電流Ｉｐ２が流れる第２酸素ポンプセル２と、酸素分圧検知セル３を備えるＮＯｘセンサ素子と、酸素分圧検知セル３と第１酸素ポンプセル１に接続され酸素分圧検知セル３の検出出力に基づいて電流Ｉｐ１を制御することにより、第１測定室５内の酸素濃度を制御する第１酸素ポンプセル制御手段２０と、第２酸素ポンプセル２に所定の電圧を印加することにより、ＮＯｘ濃度に応じた電流Ｉｐ２が流れるように制御する第２酸素ポンプセル制御手段２２と、電流Ｉｐ２のゲイン値及びオフセット値を記憶する記憶手段と、これらの値に基づいて、ＮＯｘ濃度検出信号を生成する手段とを備える。【選択図】図１
2004028925.tif 000002
【特許請求の範囲】
【請求項１】
第１拡散抵抗を介して被検ガスが導入される第１測定室と、前記第１測定室内と外に設けられた一対の電極を備え、該一対の電極間の電位差に基づいて前記第１測定室内における被検ガス中の酸素濃度を検出する酸素分圧検知セルと、前記第１測定室内から外へ又は該第１測定室外から内へ酸素を汲み出すことにより、被検ガス中の酸素濃度に応じた電流（以下「第１酸素ポンプ電流」という）が流れる第１酸素ポンプセルと、前記第１測定室から第２拡散抵抗を介してガスが導入される第２測定室と、前記第２測定室内の窒素酸化物を分解し、解離した酸素が移動することによりＮＯｘ濃度に応じた電流（以下「第２酸素ポンプ電流」という）が流れる第２酸素ポンプセルと、を備えるＮＯｘセンサ素子と、
前記酸素分圧検知セルと前記第１酸素ポンプセルに接続され、前記酸素分圧検知セルの検出出力に基づいて前記第１酸素ポンプ電流を制御することにより、前記第１測定室内の酸素濃度を制御する第１酸素ポンプセル制御手段と、
前記第２酸素ポンプセルに電気的に接続され、該第２酸素ポンプセルに所定の電圧を印加することにより、ＮＯｘ濃度に応じた前記第２酸素ポンプ電流が流れるように該第２酸素ポンプセルを制御する第２酸素ポンプセル制御手段と、
予め求められている前記第２酸素ポンプ電流の大きさとＮＯｘ濃度の関係を示す前記第２酸素ポンプ電流のゲイン値、及び予め求められているＮＯｘ濃度がゼロのときの前記第２酸素ポンプ電流の大きさを示す前記第２酸素ポンプ電流のオフセット値を記憶する記憶手段と、
前記第２酸素ポンプ電流と、前記記憶されている前記第２酸素ポンプ電流のゲイン値及び前記第２酸素ポンプ電流のオフセット値に基づいて、ＮＯｘ濃度検出信号を生成する手段と、を備えるコントローラと、
を有することを特徴とするＮＯｘ測定装置。
【請求項２】
前記コントローラが、予め求められている前記第１酸素ポンプ電流の大きさと酸素濃度の関係を示す前記第１酸素ポンプ電流のゲイン値を記憶する手段と、
前記第１酸素ポンプ電流と、前記記憶されている前記第１酸素ポンプ電流のゲイン値とに基づいて、酸素濃度検出信号を生成する手段を有することを特徴とする請求項１記載のＮＯｘ測定装置。
【請求項３】
第１拡散抵抗を介して被検ガスが導入される第１測定室と、前記第１測定室内と外に設けられた一対の電極を備え、該一対の電極間の電位差に基づいて前記第１測定室内における被検ガス中の酸素濃度を検出する酸素分圧検知セルと、前記第１測定室内から外へ又は該第１測定室外から内へ酸素を汲み出すことにより、被検ガス中の酸素濃度に応じた電流（以下「第１酸素ポンプ電流」という）が流れる第１酸素ポンプセルと、前記第１測定室から第２拡散抵抗を介してガスが導入される第２測定室と、前記第２測定室内の窒素酸化物を分解し、解離した酸素が移動することによりＮＯｘ濃度に応じた電流（以下「第２酸素ポンプ電流」という）が流れる第２酸素ポンプセルと、を備えるＮＯｘセンサ素子を所定のモデルガス雰囲気に晒して、前記第２酸素ポンプ電流のゲイン値及び該第２酸素ポンプ電流のオフセット値を求めるステップと、
前記求められた前記第２酸素ポンプ電流のゲイン値及び前記第２酸素ポンプ電流のオフセット値を記憶手段に記憶させるステップと、
前記記憶された前記第２酸素ポンプ電流のゲイン値及び前記第２酸素ポンプ電流のオフセット値と、測定時、前記ＮＯｘセンサ素子が出力する前記第２酸素ポンプ電流とに基づいて、ＮＯｘ濃度検出信号を生成するステップと、
を含むことを特徴とするＮＯｘセンサの出力補正方法。
【発明の詳細な説明】
【０００１】
【発明の属する技術分野】
本発明は、ＮＯｘ測定装置及びＮＯｘセンサの出力補正方法に関し、特に、ＮＯｘセンサのソフトウェアによる出力補正方法に関する。
【０００２】
【従来の技術】
近年、排ガス規制の強化に伴い、エンジン等の排ガス中のＮＯｘを直接測定し、内燃機関の制御や触媒のコントロールを行う研究が行われている。特に、ＺｒＯ２等の酸素イオン伝導体を用い、この酸素イオン伝導体を介した酸素ポンプセルを用いて酸素を汲み出すことによりＮＯｘを分解し、この分解を電流として検知する形式のＮＯｘガスセンサは、ＨＣ、ＣＯ等の妨害ガスの影響を受けずにＮＯｘガス濃度が測定できる、と考えられることから、近年広く研究が行われている。
【０００３】
【発明が解決しようとする課題】
内燃機関の排気ガス中に含まれるＮＯｘは、酸素等に比べてきわめて少量であって、その濃度はｐｐｍオーダである。また、製造されたＮＯｘセンサ素子には僅かな個体差がある。したがって、従来、ｐｐｍオーダのＮＯｘ濃度を正確に測定するためには、ＮＯｘセンサ素子を実機に取付ける前に、全数のＮＯｘセンサ素子をモデルガスに晒して、出力されたＮＯｘ濃度検出信号及び酸素濃度検出信号を検出し、これらの検出信号の大きさに応じて各種の補正抵抗値を求め、求められた各種補正抵抗値に近い抵抗値を有する各種の補正抵抗をＮＯｘセンサ素子の制御回路に付加している。図５は、このような従来例に係る補正抵抗を有するＮＯｘ測定装置の構成を説明するための図である。
【０００４】
図５を参照すると、ＮＯｘセンサ素子１００は、ＮＯｘセンサ素子１００の個体毎に選択された三種の補正抵抗が装填されたコネクタ１０１を介して、コントローラ１０２に接続され、三種の補正抵抗により補正されたアナログ信号であるＮＯｘ濃度検出信号及び酸素濃度検出信号がコントローラ１０２に入力される。
【０００５】
しかしながら、前記従来の補正抵抗を用いた補正方法によれば、市販されている抵抗の抵抗値は、とびとびの度合いが大きく、ＮＯｘ測定装置の個体間でＮＯｘ濃度検出信号の大きさにバラツキが発生するという問題がある。また、図５を参照すると、補正抵抗及びその取付けコストが増大したり、リード線の本数が増加するという問題点がある。
【０００６】
本発明の目的は、ＮＯｘ濃度検出信号に関して、個体間のバラツキが少ないＮＯｘ測定装置及びＮＯｘセンサの出力補正方法を提供することである。
【０００７】
【課題を解決するための手段】
本発明は、第１の視点において、被検ガス中の酸素濃度に応じた電流（「第１酸素ポンプ電流」という）が流れる第１酸素ポンプセルと、ＮＯｘ濃度に応じた第２酸素ポンプ電流が流れる第２酸素ポンプセルと、を備えるＮＯｘセンサ素子と、予め求められている前記第２酸素ポンプ電流の大きさとＮＯｘ濃度の関係を示す前記第２酸素ポンプ電流のゲイン値、及び予め求められているＮＯｘ濃度がゼロのときの前記第２酸素ポンプ電流の大きさを示す前記第２酸素ポンプ電流のオフセット値を記憶する記憶手段と、前記第２酸素ポンプ電流と、前記記憶されている前記第２酸素ポンプ電流のゲイン値及び前記第２酸素ポンプ電流のオフセット値に基づいて、ＮＯｘ濃度検出信号を生成する手段と、を備えるコントローラと、を有するＮＯｘ測定装置を提供する。
【０００８】
具体的には、ＮＯｘの影響を排除するために、ＮＯｘを含有しないガスを用いて、前記関係を求めておく。
【０００９】
予め、実験により、例えば図１（Ｃ）に示す様に、酸素濃度をパラメータとして、Ｉｐ１電流の酸素濃度（酸素濃度）との関係を求めておく。
【００１０】
第２酸素ポンプ電流のオフセット値は、ＮＯｘの影響を排除するために、ＮＯｘを含有しないガスを用いて求めることができる。つまり、ＮＯｘを含有しないガスを用いて第２ポンプ電流Ｉｐ２を測定すれば、それがオフセット値となる（図１（Ｄ）参照）。
【００１１】
第２酸素ポンプ電流のゲイン値は、第２酸素ポンプ電流値の変化に対応するＮＯｘ濃度の変化を示すものであって、第２酸素ポンプ電流値をＮＯｘ濃度で割った値（例えばμＡ／ｐｐｍの単位の値）で示される感度の逆数である（図１（Ｄ）参照）。
【００１２】
本発明のＮＯｘ測定装置においては、ＮＯｘセンサ素子のコントローラが、ＮＯｘセンサ素子の個体間のバラツキを吸収するように補正されたＮＯｘ濃度検出信号を生成する。このため、ＮＯｘセンサ素子の個体毎に、ＮＯｘ濃度検出信号補正用の異なる補正抵抗を選択して接続する必要がなくされる。この結果、下記のような利点が生じる。
【００１３】
・耐ノイズ性の向上；
・信頼性の向上（補正抵抗が不要になることにより、補正抵抗とターミナルの接触部がなくなる）；
・補正抵抗を用いたＮＯｘ濃度検出信号の補正よりも、コントローラによるソフトウェア的な補正により、より正確な補正を行うことができる；
・補正抵抗及びそれに付随するターミナル、コネクタ、リード線が不要となり、ハウジングが小型化できるため、コストダウンが達成される；
・ＯＢＤ判定が現行よりも容易となる。
【００１４】
本発明は、第２の視点において、第１拡散抵抗を介して被検ガスが導入される第１測定室と、前記第１測定室内と外に設けられた一対の電極を備え、該一対の電極間の電位差に基づいて前記第１測定室内における被検ガス中の酸素濃度を検出する酸素分圧検知セルと、前記第１測定室内から外へ又は該第１測定室外から内へ酸素を汲み出すことにより、被検ガス中の酸素濃度に応じた電流（以下「第１酸素ポンプ電流」という）が流れる第１酸素ポンプセルと、前記第１測定室から第２拡散抵抗を介してガスが導入される第２測定室と、前記第２測定室内の窒素酸化物を分解し、解離した酸素が移動することによりＮＯｘ濃度に応じた電流（以下「第２酸素ポンプ電流」という）が流れる第２酸素ポンプセルと、を備えるＮＯｘセンサ素子を所定のモデルガス雰囲気に晒して、前記第２酸素ポンプ電流のゲイン値及び該第２酸素ポンプ電流のオフセット値を求めるステップと、前記求められた前記第２酸素ポンプ電流のゲイン値及び前記第２酸素ポンプ電流のオフセット値を記憶手段に記憶させるステップと、前記記憶された前記第２酸素ポンプ電流のゲイン値及び前記第２酸素ポンプ電流のオフセット値と、測定時、前記ＮＯｘセンサ素子が出力する前記第２酸素ポンプ電流とに基づいて、ＮＯｘ濃度検出信号を生成するステップと、を含むＮＯｘセンサの出力補正方法を提供する。
【００１５】
【発明の実施の形態】
本発明によるＮＯｘ測定装置は、第１拡散抵抗（例えば、第１拡散孔）を介して被検ガスが導入される第１測定室と、前記第１測定室内と外に設けられた一対の電極を備え、該一対の電極間の電位差に基づいて前記第１測定室内における被検ガス中の酸素濃度を検出する酸素分圧検知セルと、前記第１測定室内から外へ又は該第１測定室外から内へ酸素を汲み出すことにより、被検ガス中の酸素濃度に応じた電流（以下「第１酸素ポンプ電流」という）が流れる第１酸素ポンプセルと、前記第１測定室から第２拡散抵抗（例えば、第２拡散孔）を介してガスが導入される第２測定室と、前記第２測定室内の窒素酸化物を分解し、解離した酸素が移動することによりＮＯｘ濃度に応じた電流（以下「第２酸素ポンプ電流」という）が流れる第２酸素ポンプセルと、を備えるＮＯｘセンサ素子を用いる。
【００１６】
前記ＮＯｘセンサ素子は、前記酸素分圧検知セルと前記第１酸素ポンプセルに接続され、前記酸素分圧検知セルの検出出力に基づいて前記第１酸素ポンプ電流を制御することにより、前記第１測定室内の酸素濃度を制御する第１酸素ポンプセル制御手段と、前記第２酸素ポンプセルに電気的に接続され、該第２酸素ポンプセルに所定の電圧を印加することにより、ＮＯｘ濃度に応じた前記第２酸素ポンプ電流が流れるように該第２酸素ポンプセルを制御する第２酸素ポンプセル制御手段と、によって駆動される。
【００１７】
本発明の好ましい実施の形態に係るＮＯｘ測定装置は、前記コントローラが、さらに、予め求められている前記第１酸素ポンプ電流の大きさと酸素濃度の関係を示す前記第１酸素ポンプ電流のゲイン値を記憶する手段と、前記第１酸素ポンプ電流と、前記記憶されている前記第１酸素ポンプ電流のゲイン値とに基づいて、酸素濃度検出信号を生成する手段を有する。第１酸素ポンプ電流のゲイン値は、第１酸素ポンプ電流値の変化に対応する酸素濃度の変化を示すものであって、第１酸素ポンプ電流値を酸素濃度で割った値で示される感度の逆数である。このＮＯｘ測定装置は、酸素濃度とＮＯｘ濃度の両方を測定することができる。
【００１８】
【実施例】
以上説明した本発明の好ましい実施の形態をさらに明確化するために、以下図面を参照して、本発明の一実施例を説明する。
【００１９】
図１（Ａ）〜図１（Ｄ）は、本発明の一実施例に係るＮＯｘ測定装置の構成要素であるＮＯｘセンサ素子の構成及び測定原理を説明するための図である。
【００２０】
図１（Ａ）を参照すると、ＮＯｘセンサ素子は、主として、第１酸素ポンプセル１、第２酸素ポンプセル２及び酸素分圧検知セル３、さらにＮＯｘセンサ素子を所定の作動温度に加熱するヒータ４から構成されている。第１酸素ポンプセル１と酸素分圧検知セル３の間には、第１測定室５が形成されている。第１測定室５には、第１拡散孔７を介して、被検ガスが導入される。第１測定室５は、第２拡散孔８を通じて、第２測定室６と連通している。
【００２１】
第１酸素イオンポンプセル１は、ジルコニアのような酸素イオン伝導性を有する固体電解質と、固体電解質上に形成された一対の電極９，１０から構成されている。電極１０は第１測定室５に面して配置され、電極９は外部に面して配置されている。電極１０上で第１測定室５内の酸素等が解離され生成された酸素イオンが固体電解質を通って電極９上から外部へ導出され、このとき該固体電解質を通じて流れる電流が第１酸素ポンプ電流Ｉｐ１である。
【００２２】
第２酸素イオンポンプセル２は、ジルコニアのような酸素イオン伝導性を有する固体電解質と、固体電解質上に形成された一対の電極１３，１４から構成されている。電極１３は第２測定室６に面して配置され、電極１４は第２測定室６外に配置されると共に酸素濃度が安定した雰囲気に晒されている。電極１３上で第２測定室６内のＮＯｘ等が解離され生成された酸素イオンが固体電解質を通って電極１４上から外部へ導出され、このとき固体電解質を通じて流れる電流が第２酸素ポンプ電流Ｉｐ２である。
【００２３】
酸素分圧検知セル３は、ジルコニアのような酸素イオン伝導性を有する固体電解質と、固体電解質上に形成された一対の電極１１，１２から構成されている。電極１１は第１測定室５に面して配置され、電極１２は酸素濃度が安定した雰囲気に晒されている。したがって、電極１１と電極１２の間に発生する電位差に基づいて、第１測定室５内の酸素濃度、結局、被検ガス中の酸素濃度を検出することができる。
【００２４】
図１（Ａ）を参照すると、ＮＯｘセンサ素子のコントローラ３０（図２参照）は、酸素分圧検知セルに現れる第１測定室５内の酸素濃度を検出すると共に、第１測定室５外に設けられた電極１２上の酸素濃度を制御する酸素分圧セル制御手段２１と、酸素分圧検知セル３の検出出力に基づいて第１酸素ポンプ電流Ｉｐ１を制御することにより、第１測定室５内の酸素濃度を可及的に一定に制御する第１酸素ポンプセル制御手段２０と、第２酸素ポンプセル２に可及的に一定な所定の電圧を印加することにより、ＮＯｘ濃度に応じた第２酸素ポンプ電流Ｉｐ２が流れるように第２酸素ポンプセル２を制御する第２酸素ポンプセル制御手段２２と、を含んで構成される。
【００２５】
以上説明したＮＯｘセンサ素子及びコントローラ３０を用いたＮＯｘ測定原理については、図１（Ｂ）及び図１（Ｃ）、図１（Ｄ）に示すとおりであるから、これらを参照することとする。なお、第１酸素ポンプ電流Ｉｐ１は、抵抗２０ａから取り出すことができ、第２酸素ポンプ電流Ｉｐ２は、抵抗２２ａから取り出すことができる。
【００２６】
図２は、本発明の一実施例に係るＮＯｘ測定装置及びその第２酸素ポンプ電流のゲイン値及びオフセット値等の設定方法を説明するためのブロック図である。
【００２７】
図２を参照すると、コントローラ３０は、さらに、第２酸素ポンプ電流Ｉｐ２のゲイン値及び第２酸素ポンプ電流Ｉｐ２のオフセット値と、第１酸素ポンプ電流Ｉｐ１のゲイン値とを記憶している記憶手段３０ｃと、第２酸素ポンプ電流Ｉｐ２と、記憶手段３０ｃに記憶されている第２酸素ポンプ電流Ｉｐ２のゲイン値及び第２酸素ポンプ電流Ｉｐ２のオフセット値とに基づいて、ＮＯｘ濃度検出信号を生成するＮＯｘ濃度検出信号生成手段３０ａと、第１酸素ポンプ電流Ｉｐ１と、記憶手段３０ｃに記憶されている第１酸素ポンプ電流Ｉｐ１のゲイン値とに基づいて、酸素濃度検出信号を生成する酸素濃度検出信号生成手段３０ｂとを有する。
【００２８】
コントローラ３０は、ＮＯｘセンサ素子１００に接続され、ＮＯｘセンサ素子１００に、第１酸素ポンプセル１、第２酸素ポンプセル２及び酸素分圧検知セル３を上述したように制御ないし駆動するための信号を出力する。ＮＯｘセンサ素子１００は、第１酸素ポンプ電流Ｉｐ１が増幅された信号及び第２酸素ポンプ電流Ｉｐ２が増幅された信号を出力し、これらの信号がコントローラ３０に入力される。初期設定時、コントローラ３０は、設定手段５０に接続される。設定手段５０は、第２酸素ポンプ電流Ｉｐ２のゲイン値、第２酸素ポンプ電流Ｉｐ２のオフセット値及び第１酸素ポンプ電流Ｉｐ１のゲイン値を設定するためのプログラムを実行して、これらの値をコントローラ３０の記憶手段３０ｃに書き込むことができる情報処理装置である。コントローラ３０が有するＮＯｘ濃度検出信号生成手段３０ａ及び酸素濃度検出信号生成手段３０ｂは、記憶手段３０ｃに記憶されている第２酸素ポンプ電流Ｉｐ２のゲイン値、第２酸素ポンプ電流Ｉｐ２のオフセット値及び第１酸素ポンプ電流Ｉｐ１のゲイン値と、第１酸素ポンプ電流Ｉｐ１が増幅された信号及び第２酸素ポンプ電流Ｉｐ２が増幅された信号に基づいて、補正されたＮＯｘ濃度検出信号及び酸素濃度検出信号をそれぞれ生成する。コントローラ３０は、車両搭載時、このように補正されたＮＯｘ濃度検出信号及び酸素濃度検出信号をＥＣＵ４０に出力する。
【００２９】
第２酸素ポンプ電流Ｉｐ２のゲイン値、第２酸素ポンプ電流Ｉｐ２のオフセット値及び第１酸素ポンプ電流Ｉｐ１のゲイン値の設定方法について説明する。
【００３０】
図２を参照すると、設定者は、ＮＯｘセンサ素子１００を所定のモデルガス雰囲気に晒して、コントローラ３０及び設定手段５０を起動する。なお、第２酸素ポンプ電流Ｉｐ２のオフセット値は、ＮＯｘセンサ素子１００をＮＯｘを含まない第１のガス雰囲気に晒すことにより求めることができる。第２酸素ポンプ電流Ｉｐ２のゲイン値は、ＮＯｘセンサ素子１００を酸素濃度一定且つＮＯｘを各所定濃度含む第２のガス雰囲気に晒すことにより求めることができる。第１の酸素ポンプ電流Ｉｐ１のゲイン値は、ＮＯｘセンサ素子１００をＮＯｘを含まず且つ酸素を各所定濃度含む第３の雰囲気に晒すことにより求めることができる。設定手段５０は、コントローラ３０から出力される補正前のＮＯｘ濃度検出信号及び酸素濃度検出信号と、既知の設定ガス雰囲気とに基づいて、第２酸素ポンプ電流Ｉｐ２のゲイン値、第２酸素ポンプ電流Ｉｐ２のオフセット値及び第１の酸素ポンプ電流Ｉｐ１のゲイン値を算出して、ＮＯｘセンサ素子１００の個体毎に設定されるこれらの値を記憶手段３０ｃに記憶させる。
【００３１】
続いて、ＮＯｘ濃度検出信号及び酸素濃度検出信号の補正方法について説明する。
【００３２】
コントローラ３０（ＮＯｘ濃度検出信号生成手段３０ａ及び酸素濃度検出信号生成手段３０ｂ）は、実際の測定時、記憶手段３０ｃに記憶された各値を読み出し、アナログ信号である第１酸素ポンプ電流Ｉｐ１及び第２酸素ポンプ電流Ｉｐ２をデジタル化して、これらデジタル化された値と、記憶手段３０ｃに記憶された第２酸素ポンプ電流Ｉｐ２のゲイン値、第２酸素ポンプ電流Ｉｐ２のオフセット値及び第１の酸素ポンプ電流Ｉｐ１のゲイン値に基づいて、アナログ信号である補正されたＮＯｘ濃度検出信号及び酸素濃度検出信号を出力する。
【００３３】
図３は、本発明の一実施例に係るＮＯｘ測定装置が有する酸素濃度検出信号の生成手段を説明するための図である。図４は、本発明の一実施例に係るＮＯｘ測定装置が有するＮＯｘ濃度検出信号の生成手段を説明するための図である。
【００３４】
図３及び図４を参照して、以上説明したように、コントローラ３０において、ＮＯｘ濃度検出信号及び酸素濃度検出信号の補正が行われることにより、従来、ＮＯｘ測定装置の個体毎に選択ないし設定していた、第１酸素ポンプ電流Ｉｐ１のゲイン値の補正用抵抗２０ｂと、第２酸素ポンプ電流Ｉｐ２のゲイン値の補正用抵抗２２ｂと、第２酸素ポンプ電流Ｉｐ２のオフセット値の補正用抵抗２２ｃとを、個体によらず、それぞれ共通の抵抗値を有する固定抵抗を用いることができる。
【００３５】
【発明の効果】
本発明によれば、ＮＯｘ濃度検出信号に関して、個体間のバラツキが少ないＮＯｘ測定装置及びＮＯｘセンサの出力補正方法が提供される。
【図面の簡単な説明】
【図１】図１（Ａ）〜図１（Ｄ）は、本発明の一実施例に係るＮＯｘ測定装置の構成要素であるＮＯｘセンサ素子の構成及び測定原理を説明するための図である。
【図２】本発明の一実施例に係るＮＯｘ測定装置及びその第２酸素ポンプ電流のゲイン値及びオフセット値等の設定方法を説明するためのブロック図である。
【図３】本発明の一実施例に係るＮＯｘ測定装置が有する酸素濃度検出信号の生成手段を説明するための図である。
【図４】本発明の一実施例に係るＮＯｘ測定装置が有するＮＯｘ濃度検出信号の生成手段を説明するための図である。
【図５】従来例に係る、補正抵抗を有するＮＯｘ測定装置の構成を説明するための図である。
【符号の説明】
１　第１酸素ポンプセル
２　第２酸素ポンプセル
３　酸素分圧検知セル
４　ヒータ
５　第１測定室
６　第２測定室
７　第１拡散孔
８　第２拡散孔
９　電極
１０　電極
１１　電極
１２　電極
１３　電極
１４　電極
２０　第１酸素ポンプセル制御手段
２０ａ　抵抗
２０ｂ　第１酸素ポンプ電流Ｉｐ１のゲイン値の補正用抵抗２０ｂ
２１　酸素分圧検知セル制御手段
２２　第２酸素ポンプセル制御手段
２２ａ　抵抗
２２ｂ　第２酸素ポンプ電流Ｉｐ２のゲイン値の補正用抵抗
２２ｃ　第２酸素ポンプ電流Ｉｐ２のオフセット値の補正用抵抗
３０　コントローラ
３０ａ　ＮＯｘ濃度検出信号生成手段
３０ｂ　酸素濃度検出信号生成手段
３０ｃ　記憶手段
４０　ＥＣＵ
５０　設定手段
１００　ＮＯｘセンサ素子
【図１】
2004028925.tif 000003
【図２】
2004028925.tif 000004
【図３】
2004028925.tif 000005
【図４】
2004028925.tif 000006
【図５】
2004028925.tif 000007